(57)【要約】【課題】二番処理室により再処理ときに、脱穀室における脱穀処理量が増加して所定量を越えると、処理しきれなくなる。【解決手段】脱穀室３の扱網１０の下方に風選室１３を設け、該風選室１３に揺動選別装置１５を設け、前記脱穀室３の側部には扱胴２と軸心が平行で外周に処理歯２７を備えた処理胴２６を有する脱穀済処理物処理室２５を設け、該処理胴２６の基部側の主として下方側は処理物受体２８により包囲し、該処理物受体２８の先端側には処理物排出口３０を形成し、該処理物排出口３０は前記処理物受体２８の先端に該処理物受体２８の長さ方向に移動自在に取付けた搬送ガイド３１により広狭に調節可能に構成した脱穀装置。【選択図】図１
2007289014.tif 000002
【特許請求の範囲】
【請求項１】
上部に扱胴（２）を軸装した脱穀室（３）を設け、脱穀室（３）の扱網（１０）の下方に、送風唐箕（１１）からの送風により風選する風選室（１３）を設け、該風選室（１３）に往復揺動する揺動選別棚（１４）により構成した揺動選別装置（１５）を設け、前記脱穀室（３）の側部には扱胴（２）の軸心と平行で外周に処理歯（２７）を有する処理胴（２６）を有する脱穀済処理物処理室（２５）を設け、該脱穀済処理物処理室（２５）の処理胴（２６）の基部側の主として下方側は処理物受体（２８）により包囲し、該処理物受体（２８）の先端側に脱穀済処理物処理室（２５）内の処理物を排出する処理物排出口（３０）を形成し、該処理物排出口（３０）は前記処理物受体（２８）の先端に該処理物受体（２８）の長さ方向に移動自在に取付けた搬送ガイド（３１）により広狭に調節可能に構成した脱穀装置。
【請求項２】
請求項１において、前記脱穀済処理物処理室（２５）は、前記揺動選別棚（１４）の下方に設けた二番コンベア（２３）により回収された二番物を処理する二番脱穀済処理物処理室（２５）に構成した脱穀装置。
【請求項３】
請求項１または請求項２において、前記脱穀済処理物処理室（２５）の処理胴（２６）の先端外周には処理胴（２６）の軸心と略平行な排出羽根（３３）を設け、前記搬送ガイド（３１）を前記処理物排出口（３０）を最も狭くするように移動させたときでも前記排出羽根（３３）の略直下は処理物排出口（３０）により開口するように構成した脱穀装置。
【発明の詳細な説明】
【技術分野】
【０００１】
本発明は、脱穀装置に係るものである。
【背景技術】
【０００２】
従来、脱穀室の側部に扱胴の軸心と平行で外周に処理歯を有する処理胴を有する二番処理室を設け、該二番処理室の処理胴の基部側の主として下方側は処理物受体により包囲し、該処理物受体の先端側に二番処理室内の処理物を排出する処理物排出口を形成した構成は、公知である（特許文献１）
【特許文献１】特開平１１−１８５６１号公報
【発明の開示】
【発明が解決しようとする課題】
【０００３】
前記公知例は、脱穀済処理物を二番処理室により再処理する構成であるが、単に、再処理する構成のため、脱穀室における脱穀処理量が増加して所定量を越えると、処理しきれなくなるという課題がある。
本願は、脱穀済処理物を再処理する脱穀済処理物処理室（二番処理室）の構成を工夫し、詰まりを防止して、脱穀済処理物処理室（二番処理室）の対応処理能力を向上させるようにしたものである。
【課題を解決するための手段】
【０００４】
本発明は、上部に扱胴２を軸装した脱穀室３を設け、脱穀室３の扱網１０の下方に、送風唐箕１１からの送風により風選する風選室１３を設け、該風選室１３に往復揺動する揺動選別棚１４により構成した揺動選別装置１５を設け、前記脱穀室３の側部には扱胴２の軸心と平行で外周に処理歯２７を有する処理胴２６を有する脱穀済処理物処理室２５を設け、該脱穀済処理物処理室２５の処理胴２６の基部側の主として下方側は処理物受体２８により包囲し、該処理物受体２８の先端側に脱穀済処理物処理室２５内の処理物を排出する処理物排出口３０を形成し、該処理物排出口３０は前記処理物受体２８の先端に該処理物受体２８の長さ方向に移動自在に取付けた搬送ガイド３１により広狭に調節可能に構成した脱穀装置としたものであり、穀稈供給搬送装置４により搬送された穀稈は、搬送穀稈供給口から脱穀室３内に供給され、回転する扱胴２により脱穀され、脱穀された脱穀物（被処理物）は扱網１０から下方の揺動選別棚１４に落下し、揺動選別棚１４の揺動と送風唐箕１１の送風により選別され、穀粒は一番コンベア２２から回収される。
前記脱穀室３で脱穀されて扱網１０から落下しない処理物あるいは二番コンベア２３により回収された還元物は脱穀済処理物処理室（二番処理室）２５に入り、脱穀済処理物処理室（二番処理室）２５内で回転する処理胴２６と処理胴２６の下方の処理物受体２８との間で処理物あるいは還元物は処理歯２７により攪拌処理され、脱穀済処理物処理室（二番処理室）２５の終端の処理物排出口３０から、揺動選別棚１４に落下して再処理される。
この場合、脱穀済処理物処理室（二番処理室）２５の処理物排出口３０は処理物受体２８の先端に該処理物受体２８の長さ方向に移動自在に取付けた搬送ガイド３１により広狭に調節可能にしているので、脱穀済処理物処理室（二番処理室）２５の処理量に対応させて処理物排出口３０の開口面積を広狭に調節する。
本発明は、前記脱穀済処理物処理室２５は、前記揺動選別棚１４の下方に設けた二番コンベア２３により回収された二番物を処理する二番脱穀済処理物処理室２５に構成した脱穀装置としたものであり、二番コンベア２３により回収された二番還元物は二番還元装置３２により搬送され、脱穀済処理物処理室（二番処理室）２５の始端側上方で放擲されて脱穀済処理物処理室（二番処理室）２５内に入り、回転する処理胴２６の処理歯２７により移送中に処理され、処理物排出口３０から揺動選別棚１４に落下して再処理される。
本発明は、前記脱穀済処理物処理室２５の処理胴２６の先端外周には処理胴２６の軸心と略平行な排出羽根３３を設け、前記搬送ガイド３１を前記処理物排出口３０を最も狭くするように移動させたときでも前記排出羽根３３の略直下は処理物排出口３０により開口するように構成した脱穀装置としたものであり、脱穀済処理物処理室（二番処理室）２５内に入った処理物は、処理胴２６の外周の処理歯２７により処理物排出口３０に向けて移送されながら処理され、処理物排出口３０に処理物が至ると、排出羽根３３により揺動選別棚１４に向けて拡散させられながら落下する。
このとき、処理物排出口３０の開口面積を広狭に調節する搬送ガイド３１が処理物排出口３０を最も狭くするように移動させたときでも、排出羽根３３の略直下は処理物排出口３０により開口し、処理物排出口３０に至った処理物は排出羽根３３に当たって拡散させられながら落下する。
【発明の効果】
【０００５】
請求項１の発明では、脱穀済の処理物は、脱穀済処理物処理室（二番処理室）２５により処理でき、脱穀室３の脱穀量に対応させて処理物排出口３０を広狭に調節でき、処理条件の適応範囲を広げることができる。
請求項２の発明では、二番還元物を処理する脱穀済処理物処理室（二番処理室）２５の処理物排出口３０を広狭に調節できるので、二番脱穀済処理物処理室（二番処理室）２５の処理条件の適応範囲を広げることができる。
請求項３の発明では、処理物排出口３０の開口面積を広狭に調節する搬送ガイド３１が処理物排出口３０を最も狭くするように移動させたときでも、排出羽根３３の略直下は処理物排出口３０により開口するから、詰まり発生を防止できる。
【発明を実施するための最良の形態】
【０００６】
本発明の実施例を図面により説明すると、１は脱穀装置である。実施例は、コンバインの脱穀装置１であり、図示は省略するが脱穀装置１の下方に走行装置を設け、脱穀装置１の前方には刈取部を設けている。
前記脱穀装置１は、上部に扱胴２を略水平に軸装した脱穀室３を設け、脱穀室３の一側には前記刈取部により刈り取った穀稈を供給搬送する穀稈供給搬送装置４の供給搬送チエン５を設けている。なお、理解を容易にするため、便宜的に方向を示して以下説明するが、これにより構成が限定されるものではない。
扱胴２は脱穀装置１の前板６と脱穀室後板７に軸装し、扱胴２の主として下方側は扱網１０により包囲している。扱網１０の下方には送風唐箕１１の唐箕ケーシング１２を設ける。前記脱穀室３の下方には前記送風唐箕１１の送風により穀粒と異物とを風選し得る風選室１３を形成し、風選室１３内には、送風唐箕１１の送風方向（前後方向）に往復揺動する揺動選別棚１４により構成した揺動選別装置１５を設ける。
【０００７】
揺動選別装置１５は、その揺動選別棚１４の始端部（前端部）を唐箕ケーシング１２の上方に位置させて移送棚部１６に形成する。移送棚部１６の構成は任意であり、移送方向下手側を低く傾斜させたり、あるいは、移送棚部１６の上面に突起や凹凸を設けて揺動選別装置１５の移送方向下手側のグレンシーブ１７に扱網１０からの落下物を移送できればよい。
前記グレンシーブ１７は、扱網１０より落下した穀粒と異物とを選別するものであり、所定間隔をおいて揺動方向に複数並設する。グレンシーブ１７は、薄い平板形状に形成し、移送方向の下手側（後側）が高くなるように傾斜させて設ける。
しかして、グレンシーブ１７の下方から移送方向の下手側（後側）の揺動選別棚１４にはチャフシーブ２０を複数並設する。チャフシーブ２０の下手側にはストローラック２１を設ける。
揺動選別棚１４の下方には一番コンベア２２を設け、一番コンベア２２の後側には二番コンベア２３を設ける。
【０００８】
しかして、脱穀室３の側部には脱穀済処理物処理室２５を設ける。脱穀済処理物処理室２５は、扱胴２の軸心と略平行な処理胴２６を軸装して構成する。処理胴２６の外周には処理歯２７を設け、処理歯２７は穀稈供給搬送装置４の搬送方向と反対に揺動選別棚１４の始端部（前端部）側に処理物を移送するように配置する。処理胴２６の基部側の主として下方には盲板または網体により形成した処理物受体２８を設ける。処理物受体２８の基部は中間板２９に固定し、処理物受体２８の先端と前板６との間に処理物排出口３０を形成する。
前記処理物受体２８の先端側には、搬送ガイド３１を処理物受体２８の長さ方向に移動自在に取付ける。
搬送ガイド３１は処理物受体２８の長さ方向に移動させることで、処理物受体２８の長さを長短変更調節することになり、脱穀済処理物処理室２５内の処理具合（度合い）を変化させることができ、処理胴２６の長さを有効に活用し、有効に処理する。
【０００９】
即ち、搬送ガイド３１を前側に移動させると、処理時間が長くなり、搬送ガイド３１を後側に移動させると、脱穀済処理物処理室２５の処理時間を短くさせることができ、処理物の条件の適応性が向上する。
この場合、搬送ガイド３１の移動条件およびどのように移動させるかは任意であるが、例えば、脱穀済処理物処理室２５に戻される処理物の量が多くなったときに、搬送ガイド３１により処理物排出口３０を狭くして、処理時間を長くさせることが、穀稈から脱粒しにくい品種のときには有効であり、このようにして、処理物の条件の適応性を広げることができる。
また、搬送ガイド３１は前後に移動させることにより処理物排出口３０の開口面積を大小に変更調節することができ、脱穀済処理物処理室２５内の処理物量に応じて、処理物排出口３０の開口面積を大小にして、処理物の条件の適応性が一層向上する。
【００１０】
しかして、実施例では、前記脱穀済処理物処理室２５を、二番コンベア２３により回収された二番物を処理する脱穀済処理物処理室（二番処理室）２５に構成する。脱穀済処理物処理室（二番処理室）２５の始端部上方には二番還元装置３２の先端を開口させ、二番還元装置３２の基部は二番コンベア２３の終端に接続している。
したがって、扱胴２上部を包囲する扱網１０からの濾過物や二番還元装置３２からの二番還元物を処理する脱穀済処理物処理室（二番処理室）２５の搬送ガイド３１の位置を可変とし、処理物受体２８の長さや処理物排出口３０の開口面積を変化させることで、脱穀済処理物処理室（二番処理室）２５内での枝梗やカギ又の分離や藁屑の処理具合を変化させることができ、条件適応性が拡大する。
【００１１】
前記脱穀済処理物処理室（二番処理室）２５の処理胴２６の先端外周には処理胴２６の軸心と略平行な排出羽根３３を設け、排出羽根３３の略直下に前記処理物排出口３０を形成する。
即ち、処理物排出口３０の開口面積は可変であるが、少なくとも、搬送ガイド３１を前方に移動させたときでも、排出羽根３３の略直下は開口するように、排出羽根３３と処理物排出口３０の長さを相対的に所定長さに形成して、脱穀済処理物処理室（二番処理室）２５からの処理物の落下を妨げないようにしている。
したがって、処理物排出口３０からの処理物の落下が円滑となる。
また、例えば、早朝や刈取適期より早い高水分穀稈や脱粒難品種あるいは止め葉が短く藁屑発生の少ない品種などでは、枝梗やカギ又が一番コンベア２２に回収されやすいが、排出羽根３３の略直下に前記処理物排出口３０を形成しているから、脱穀済処理物処理室（二番処理室）２５の処理が促進され、効果的である。
即ち、脱穀済処理物処理室（二番処理室）２５の処理物排出口３０は、揺動選別棚１４の始端部上方に位置するから、脱穀済処理物処理室（二番処理室）２５の処理が良好に行われないと、二番還元物の内の枝梗やカギ又が揺動選別棚１４の始端部上方に落下してそのまま一番コンベア２２に回収されてしまうが、排出羽根３３の略直下は開口する範囲で搬送ガイド３１を前方に移動させることで、脱穀済処理物処理室（二番処理室）２５の処理時間を長くして、処理が促進されて処理精度を向上させ、その結果、一番コンベア２２で枝梗やカギ又が回収されるのを抑制する。
【００１２】
この場合、搬送ガイド３１を後側に移動させて、処理物排出口３０の開口面積を広げたときは、搬送ガイド３１の前端が排出羽根３３の後縁より後側に位置するように構成する。
そのため、例えば、過熟で胴割れが発生しやすい品種や極端に藁屑発生量の多い穀稈などでは、処理物排出口３０を大きく開口させて排出量を多くすることにより、脱穀済処理物処理室（二番処理室）２５内の詰まり防止や損傷穀粒の増加を抑制する。また、コンバインを高速で走行させて多量の穀稈を脱穀装置１で処理する場合、搬送ガイド３１を後側に移動させて処理物排出口３０を大きく開口させることで、脱穀済処理物処理室（二番処理室）２５の詰まり防止になる。
この場合、少なくとも、排出羽根３３より後側にある一つあるいはそれ以上の処理歯２７が処理物排出口３０の下方に位置するようにすると、処理物排出口３０からの処理物の排出を良好にして、好適である。
【００１３】
しかして、揺動選別棚１４の移送棚１６の上面には略垂直に起立する寄せ板３５を設ける。寄せ板３５は、揺動選別棚１４上に落下した落下物を穀稈供給搬送装置４側（左側）に寄せながら後側に移送するためのものであり、処理物排出口３０の開口面積を狭くするために搬送ガイド３１を前方に移動させたとき、搬送ガイド３１の前端は寄せ板３５の前端よりも前方に位置するように配置構成する。
即ち、寄せ板３５は、平面視、後側に至るに従い左側（穀稈供給搬送装置４側）に位置するように傾斜させて設けるが、寄せ板３５の前端は搬送ガイド３１により最も狭くした処理物排出口３０の後縁よりも後側へ位置させることになり、脱穀済処理物処理室（二番処理室）２５内の処理物は搬送ガイド３１の前端まで導かれ、処理胴２６の排出羽根３３により揺動選別棚１４の始端部に拡散しつつ落下し、この処理物は寄せ板３５の始端部より終端部の作用を受けて揺動選別棚１４全体に拡散される。
【００１４】
したがって、寄せ板３５を有効に作用させて、選別精度および選別効率を向上させる。
反対に、処理物排出口３０の開口面積を広くするために搬送ガイド３１を後方に移動させたとき、搬送ガイド３１の前端と寄せ板３５の前端とは略同じ所に位置するように配置構成する。
即ち、搬送ガイド３１の前端と寄せ板３５の前端とが平面視重なるようにして、処理物排出口３０より落下した処理物は寄せ板３５の始端部より終端部に至る間に寄せ板３５の片寄せの作用を受けて揺動選別棚１４全体に拡散される。
したがって、寄せ板３５を有効に作用させて、選別精度および選別効率を向上させる。
【００１５】
しかして、処理物排出口３０の開口面積の広狭させる構成は任意であるが、一例を示すと、処理物受体２８の基部を中間板２９に固定し、処理物受体２８に対して搬送ガイド３１を前後移動させて処理物排出口３０の開口面積の広狭調節を行う。
実施例では、処理物受体２８の下面に搬送ガイド３１の上面を当接させ、前後摺動自在に取付けている。
したがって、搬送中の処理物が搬送ガイド３１の後縁に引っ掛かるのを防止でき、損傷粒の増加や詰まり発生等の不具合を防止する。
搬送ガイド３１の内側端部はＬ型状の屈曲部４０に形成し、屈曲部４０は処理物受体２８の内側端部に形成した断面コの字形状の係合部４１に前側から挿入し、脱穀装置１の側板３９に固定の取付軸４２に搬送ガイド３１の長孔４３を挿通して取付ける。
したがって、取付軸４２を緩めて搬送ガイド３１を移動させてから、取付軸４２を固定すると、所望任意位置で搬送ガイド３１を固定でき、脱穀済処理物処理室（二番処理室）２５内の処理の進行等を調節可能となる。
【００１６】
また、搬送ガイド３１は、搬送ガイド３１の屈曲部４０が処理物受体２８の係合部４１に支持され、搬送ガイド３１の長孔４３が脱穀装置１に取付軸４２により取付けられているから、搬送ガイド３１の左右両側が支持される。
また、処理物受体２８の係合部４１および搬送ガイド３１の屈曲部４０は、長さ方向の全体に亘って形成すると、一層、支持および移動案内が良好になって、好適である。
しかして、脱穀済処理物処理室（二番処理室）２５の処理胴２６の上方には仕切板４５を設ける。仕切板４５は、処理胴２６の軸心に対して交差方向の平板に形成し、仕切板４５の下部は略垂直の起立板部４６に形成し、仕切板４５の上部は上方に至るに従い後側に位置するように傾斜させて傾斜板部４７に形成する。
【００１７】
仕切板４５は、処理胴２６の上面側を移動する処理物の移動に抵抗を与えるものである。
即ち、脱穀済処理物処理室（二番処理室）２５は、処理胴２６上面側は開放して脱穀室３の扱網１０から漏下する処理物が進入するのを期待しているが、処理胴２６の上面側が開放されていると、扱網１０から漏下した処理物および二番還元装置３２からの還元処理物は処理胴２６の上面側を単に移動して処理が良好に行われないことがあり、仕切板４５は処理胴２６の上面側を移動する処理物の移動に抵抗を与えて、脱穀済処理物処理室（二番処理室）２５の処理を促進させる。
そして、仕切板４５の上部の傾斜板部４７は後側に倒すことにより、図１１の矢印のように処理物を反転および乱反射させて、脱穀済処理物処理室（二番処理室）２５内の処理物を攪拌して処理を促進させる作用を期待する。
【００１８】
この場合、仕切板４５は、搬送ガイド３１が前後に移動する間隔内に少なくとも一枚設ければ上記作用は期待できるが、このとき、最も処理物排出口３０を広くさせるために後側に移動させた搬送ガイド３１の略上方に仕切板４５を設けると、仕切板４５の抵抗が有効に作用して好適である。
また、仕切板４５は、処理胴２６の長さ方向に所定間隔をおいて複数設けてもよく、この場合は、最も処理物排出口３０を広くさせるために後側に移動させた搬送ガイド３１の略上方の仕切板４５を基準に、当該中間仕切板４５Ａの前後に前後仕切板４５Ｂ、Ｃを配置すると、処理物の処理物排出口３０の排出および仕切板４５の抵抗とを互いに良好に作用させることができ、好適である。
【００１９】
しかして、脱穀室３の終端側部に連通する排塵連通口５０を形成し、排塵連通口５０により脱穀室３と連通する排塵処理室５１を設け、排塵処理室５１を脱穀済処理物処理室２５とし、排塵処理室５１の終端の処理物排出口３０に搬送ガイド３１を移動自在に設けてもよい。
図中、５２は排塵胴、５３は処理歯、５４は排出羽根、５５は排出口、５６は吸引排塵ファン、５７は排藁搬送装置、５８はカッター装置である。
【図面の簡単な説明】
【００２０】
【図１】脱穀装置の側面図。
【図２】脱穀済処理物処理室側の脱穀装置の側面図。
【図３】脱穀済処理物処理室の側面図。
【図４】脱穀装置の正面図。
【図５】同平面図。
【図６】同一部斜視図。
【図７】脱穀済処理物処理室の処理胴の平面図。
【図８】脱穀装置の平面図。
【図９】脱穀済処理物処理室のの正面図。
【図１０】搬送ガイドの側面図。
【図１１】搬送ガイドの移動状態側面図。
【図１２】搬送ガイドと仕切板の位置関係を示す平面図。
【図１３】排塵処理室を脱穀済処理物処理室とした実施例の側面図。
【符号の説明】
【００２１】
１…脱穀装置、２…扱胴、３…脱穀室、４…穀稈供給搬送装置、５…供給搬送チエン、６…前板、７…脱穀室後板、１１…送風唐箕、１２…唐箕ケーシング、１３…風選室、１４…揺動選別棚、１５…揺動選別装置、１６…移送棚部、１７…グレンシーブ、２０…チャフシーブ、２１…ストローラック、２２…一番コンベア、２３…二番コンベア、２５…脱穀済処理物処理室（二番処理室）、２６…処理胴、２７…処理歯、２８…処理物受体、２９…中間板、３０…処理物排出口、３１…搬送ガイド、３２…二番還元装置、３３…排出羽根、３５…寄せ板、４２…取付軸、４３…長孔、４０…屈曲部、４１…係合部、４５…仕切板、４６…起立板部、４７…傾斜板部、５２…排塵胴、５３…処理歯、５４…排出羽根、５５…排出口、５６…吸引排塵ファン、５７…排藁搬送装置、５８…カッター装置。
【図１】
2007289014.tif 000003
【図２】
2007289014.tif 000004
【図３】
2007289014.tif 000005
【図４】
2007289014.tif 000006
【図５】
2007289014.tif 000007
【図６】
2007289014.tif 000008
【図７】
2007289014.tif 000009
【図８】
2007289014.tif 000010
【図９】
2007289014.tif 000011
【図１０】
2007289014.tif 000012
【図１１】
2007289014.tif 000013
【図１２】
2007289014.tif 000014
【図１３】
2007289014.tif 000015